(57)【要約】      （修正有）【課題】化粧料を常に効率的に無駄なく最適に供給でき、ブラシの先割れを防止して極細で繊細なラインを描ける化粧料の塗布具を提供する。【解決手段】塗布具本体２の前方側に筒状のノーズピース３を設け、ノーズピース３内側に該ノーズピース３と同心円状にブラシ４を集束して収納する化粧料の塗布具１において、ノーズピース３とブラシ４との間に貫通孔を有する筒状の含浸体６を介在させ、この含浸体６における貫通孔の前方側にはブラシ４の先端４ｂが露出するように収納され、貫通孔の後方側にはブラシ４と同軸上に中継芯５を収納配置させることにより、中継芯５の化粧料が、含浸体６を経由して、含浸体６に内包される前記ブラシ４へ供給されるように構成した。【選択図】図２
2010213869.tif 000002
【特許請求の範囲】
【請求項１】
塗布具本体の前方側に筒状のノーズピースを設け、前記ノーズピース内側に該ノーズピースと同心円状にブラシを集束して収納する化粧料の塗布具において、前記ノーズピースと前記ブラシとの間に貫通孔を有する筒状の含浸体を介在させ、この含浸体における前記貫通孔の前方側には前記ブラシの先端が露出するように収納され、前記貫通孔の後方側には前記ブラシと同軸上に中継芯を収納配置させることにより、前記中継芯の化粧料が、前記含浸体を経由して、前記含浸体に内包される前記ブラシへ供給されるように構成したことを特徴とする化粧料の塗布具。
【請求項２】
前記含浸体は、連続気泡を有する多孔質発泡体で形成したことを特徴とする請求項１記載の化粧料の塗布具。
【請求項３】
前記多孔質発泡体は、ウレタン発泡体で形成されることを特徴とする請求項２記載の化粧料の塗布具。
【請求項４】
前記多孔質発泡体は、ポリエチレンの粒子を焼結して形成した焼結体であることを特徴とする請求項２記載の化粧料の塗布具。
【請求項５】
前記多孔質発泡体の孔の大きさを、５〜５０ミクロンの範囲に設定したことを特徴とする請求項２〜４のいずれか一項に記載の化粧料の塗布具。
【請求項６】
前記多孔質発泡体の孔の大きさが、平均して２５ミクロンに設定されることを特徴とする請求項２〜４のいずれか一項に記載の化粧料の塗布具。
【請求項７】
前記含浸体の貫通孔を小径の貫通孔と大径の貫通孔とで形成する一方、前記ブラシの後方端に鍔状の結束部を形成し、前記大小両貫通孔の境に形成される段差部に前記結束部を係合させたことを特徴とする請求項１〜６のいずれか一項に記載の化粧料の塗布具。
【請求項８】
前記含浸体の貫通孔はほぼ円形断面を有し、その内径を、前方側から前記段差部に向かうに応じて微少量だけ大きくなるように形成されることを特徴とする請求項７記載の化粧料の塗布具。
【請求項９】
前記ノーズピースに内接する前記含浸体の外周面の外径を、前方側に向かうに応じて小径となるように形成したことを特徴とする請求項７または８記載の化粧料の塗布具。
【発明の詳細な説明】
【技術分野】
【０００１】
本発明は、化粧料がブラシ先端まで良く行き届いてブラシの乾きなどを防止しうる極細タイプの化粧料の塗布具に関する。
【背景技術】
【０００２】
従来、化粧料の塗布具には特許文献１に記載の技術が知られている。この特許文献１に記載された技術は例えば図６に示すように、化粧料の塗布具１における塗布具本体２の前方側に筒状体のノーズピース(「口(くち)プラスティック」ともいう)３を設けている。ノーズピース３には貫通孔が設けられ、そこにブラシ４が集束して収納される。ブラシ４の後方側には、中継芯５が嵌め込まれる。こうして、特許文献１の化粧料の塗布具１は化粧料が中継芯５を経由してブラシ４の内部に供給される構成を有する。係る構成により、顔料インクである化粧料がブラシ４から大量に漏出するのを防止し、適量の化粧料をブラシへ供給するようにしている。
【特許文献１】特開２０００−２９６９３６号公報
【発明の開示】
【発明が解決しようとする課題】
【０００３】
しかしながら、上記特許文献１に記載された化粧料の塗布具１にあっては、図６(ｂ)に示すように、ブラシ４の後方端に鍔状に形成した結束部４ａに、中継芯５を埋め込むための挿入孔４ｅを穿たなければならない。このため、ブラシ４は所要の強度を持たせるために、その外径を太く形成したものを用いる必要がある。したがって、ブラシ４を極細に形成した極細タイプの化粧料の塗布具を製作するのが困難となり、繊細なアイラインを引けなくなる問題がある。また、ブラシ４に中継芯５を設けるため、化粧料の塗布具１の使用中においてブラシ４の先端が、図６(ｃ)のように割れる先割れ現象、換言すると所謂命毛が抜かれるという好ましくない現象が生じる問題もあった。
【０００４】
本発明は上記問題に鑑みて工夫されたもので、化粧料を常に効率的に無駄なく最適に供給でき、ブラシの先割れを防止して極細で繊細なラインを描ける化粧料の塗布具を提供することを目的とする。
【課題を解決するための手段】
【０００５】
(１)本発明は、塗布具本体の前方側に筒状のノーズピースを設け、前記ノーズピース内側に該ノーズピースと同心円状にブラシを集束して収納する化粧料の塗布具において、前記ノーズピースと前記ブラシとの間に貫通孔を有する筒状の含浸体を介在させ、この含浸体における前記貫通孔の前方側には前記ブラシの先端が露出するように収納され、前記貫通孔の後方側には前記ブラシと同軸上に中継芯を収納配置させることにより、前記中継芯の化粧料が、前記含浸体を経由して、前記含浸体に内包される前記ブラシへ供給されるように構成したことを特徴とする化粧料の塗布具である。
【０００６】
本発明に係る化粧料の塗布具によれば、中継芯に含浸される化粧料は、中継芯に外接する含浸体に毛細管現象の原理により浸透していく。含浸体に供給された化粧料は、含浸体に内接するブラシへ供給されていく。このように、化粧料は中継芯から含浸体を経由してブラシに供給される、すなわち、ブラシの外周面を通じてブラシへ供給されるので、化粧料を効率よくブラシ先端Ｍで行き渡らせることが可能となる。したがって、ブラシの乾きにくい化粧料の塗布具を実現できるようになる。
(２)本発明はまた、前記含浸体は、連続気泡を有する多孔質発泡体で形成したことを特徴とする前記(１)記載の化粧料の塗布具である。
【０００７】
本発明によれば、多孔質発泡体の連続気泡を毛細管として利用するので、中継芯から染み込んだ化粧料は含浸体の内部を毛細管現象により効率よく流動していく。含浸体を流動する化粧料は含浸体の貫通孔に外接するブラシ外周を通じてブラシへ供給されていくようになり、ブラシ全体に化粧料を最適制御しながら供給し、全体に行き届き易くできる。
(３)本発明はまた、前記多孔質発泡体は、ウレタン発泡体で形成されることを特徴とする前記(２)記載の化粧料の塗布具である。
【０００８】
本発明によれば、ウレタン発泡体が有する連続気泡を毛細管として利用するので、中継芯から染み込んだ化粧料は含浸体の内部を毛細管現象により効率よく流動していく。含浸体、すなわちウレタン発泡体を流動する化粧料は含浸体の貫通孔に外接するブラシ外周を通じてブラシへ供給されていくようになり、ブラシ全体に化粧料が行き届き易くなる。
(４)本発明はまた、前記多孔質発泡体は、ポリエチレンの粒子を焼結して形成した焼結体であることを特徴とする前記(２)記載の化粧料の塗布具である。
【０００９】
本発明によれば、焼結体のポリエチレン粒子間に形成される連続気泡を毛細管として利用するので、中継芯から染み込んだ化粧料は含浸体の内部を毛細管現象により効率よく流動していく。含浸体、すなわち焼結体を流動する化粧料は含浸体の貫通孔に外接するブラシ外周を通じてブラシへ供給されていくようになり、ブラシ全体に化粧料が行き届き易くなる。
(５)本発明はまた、前記多孔質発泡体の孔の大きさを、５〜５０ミクロンの範囲に設定したことを特徴とする前記(２)〜(４)のいずれか一項に記載の化粧料の塗布具である。
【００１０】
本発明によれば、多孔質発泡体の孔の大きさが５〜５０ミクロンの範囲にあるので、毛細管現象を惹起する特性に優れた含浸体を得ることができるようになる。
(６)本発明はまた、前記多孔質発泡体の孔の大きさが、平均して２５ミクロンに設定されることを特徴とする前記(２)〜(４)のいずれか一項に記載の化粧料の塗布具である。
【００１１】
本発明によれば、多孔質発泡体の孔の大きさが平均して２５ミクロンにしているので、毛細管現象を生じさせる特性に優れた含浸体を得ることができるようになる。
(７)本発明はまた、前記含浸体の貫通孔を小径の貫通孔と大径の貫通孔とで形成する一方、前記ブラシの後方端に鍔状の結束部を形成し、前記大小両貫通孔の境に形成される段差部に前記結束部を係合させたことを特徴とする前記(１)〜(６)のいずれか一項に記載の化粧料の塗布具である。
【００１２】
本発明によれば、ブラシを貫通孔の大径側から挿入するとき、ブラシの結束部を段差部に係合させる。これにより、ブラシを含浸体に位置決めして所定位置に組み込むことができるようになる。
(８)本発明はまた、前記含浸体の貫通孔はほぼ円形断面を有し、その内径を、前方側から前記段差部に向かうに応じて微少量だけ大きくなるように形成されることを特徴とする前記(７)記載の化粧料の塗布具である。
【００１３】
本発明によれば、含浸体の貫通孔に挿入されるブラシが含浸体に対する密着度を増大させるので、化粧料の含浸体からブラシへの供給を効率的に行うことが可能となる。また、含浸体に前方側へ引っ張る外力が作用しても、ブラシが前方側へ抜け出すのを防止できる。
(９)本発明はまた、前記ノーズピースに内接する前記含浸体の外周面の外径を、前方側に向かうに応じて小径となるように形成したことを特徴とする前記(７)または(８)記載の化粧料の塗布具である。
【００１４】
本発明によれば、含浸体に前方側へ引っ張る外力が作用しても、含浸体が塗布具本体から前方側へ抜け出すのを防止できるようになる。
【発明の効果】
【００１５】
本発明によれば、ブラシに顔料インキである化粧料を常に効率的に無駄なく最適に供給することで経済性に富み、かつ、ブラシの先割れを生じることがなく、極細で繊細なラインを引ける高品質で高級感に富んだ化粧料の塗布具を実現できる。
【発明を実施するための最良の形態】
【００１６】
以下、本発明の化粧料の塗布具を、図に示す一実施形態に基づいて詳述する。なお、本実施形態の化粧料の塗布具はアイライナーに適用した場合を例に挙げて説明するが、これに限定されないのは言うまでもない。また、本実施形態において、上記従来技術における化粧料の塗布具を構成する部材または部分と均等部材には、図６に用いたと同一符号を付して説明することとする。図１(ａ)は化粧料の塗布具１の外観図、図１(ｂ)は塗布具本体２からキャップ２ａを取り外した状態を示す化粧料の塗布具１の外観図、図２は図１(ｂ)のＡ部を拡大して示した部分縦断面図である。また、図２〜図４において、前方とは各図に向かって左方側を、後方とは右方側を指すものとする。
【００１７】
化粧料の塗布具１は、塗布具本体２と、塗布具本体２の前方側に嵌め込まれた横断面円形状の外周面を有する筒状のノーズピース３と、ノーズピース３の内側に内包され、横断面円形状の外周面を有する筒状の含浸体６と、含浸体５の内側に内包され、横断面円形状の外周面を有するブラシ４および横断面円形状の外周面を有する棒状の中継芯５との構成要素から成る。以下、各構成要素をより具体的に説明していく。
〈ノーズピース〉
ノーズピース３は段差部３ｂを有し、その段差部３ｂを塗布具本体２の内側に形成したストッパ部２ｂに係合することにより、ノーズピース３が塗布具本体２を前方側へ脱落しないように位置決め固定されるようになっている。
〈含浸体〉
ノーズピース３に挿入される含浸体６は、連続気泡を有する多孔質発泡体、すなわち連続多孔質体で形成される。具体的には、図５(ａ)に示したように含浸体６すなわち多孔質発泡体は自体公知のウレタン樹脂Ｕを素材とするウレタン発泡体で形成される。多孔質発泡体６に形成される各空間Ｓ、すなわち各孔Ｓは、図５(ａ)に示すように、５〜５０ミクロンの範囲の大きさに設定するのが好ましく、また平均して２５ミクロンのサイズにしてもよい。これにより化粧料は各孔を通じて毛細管現象によりウレタン発泡体でなる含浸体６内部を流動していくようになる。
また、図５(ｂ)のように、上記多孔質発泡体６をポリエチレンの粒子ＰＥを焼結して形成した焼結体で形成してもよい。この場合における粒子間に形成される空間Ｓ、すなわち孔Ｓの大きさも、上記と同様に５〜５０ミクロンの範囲の大きさ、または平均して２５ミクロンのサイズに設定される。これにより化粧料は各孔を通じて毛細管現象により焼結体でなる含浸体６内部を流動していくようになる。
上記の多孔質発泡体を用いて製作される含浸体６は図３に示すように、横断面円形状の外周面を有する。含浸体６には、小径の貫通孔６ａと大径の貫通孔６ｂとが穿たれ、両貫通孔の境界に後述するブラシ４の結束部４ａを受け止める段差部６ｃが形成される。長さＬを有する小径の貫通孔６ａにはブラシ４が、大径の貫通孔６ｂには中継芯５がそれぞれ挿入される。
小径の貫通孔６ａは上記長さＬの範囲で、段差部６ｃから前方側に向かうに応じて内径寸法が徐々に先細るように形成されている。これにより、含浸体６にブラシ４が挿入して押し込まれたとき、ブラシ４が含浸体６に密着し、かつ、ブラシ４が含浸体６から抜け出さないように保持されるようにしている。
また、含浸体６には、小径の貫通孔６ａにほぼ相当する部分の外周面を若干先細りに形成したテーパ部６ｄが設けられる。これにより、含浸体６をノーズピース３に前方側へ挿入したとき、含浸体６はノーズピース３に密着し、かつ、ノーズピース３から脱落しないように一体化され保持できるようになっている。
なお、図２における符号７は含浸体６お位置決めする保持部を示す。
〈ブラシ〉
図４に示すように、ブラシ４はポリエステル繊維等の自体公知の合成樹脂材を用い、繊維を集束したものである。ブラシ４の後方端には鍔状の結束部４ａが、前方側には先細りの筆先４ｂがそれぞれ形成される。結束部４ａは例えば接着剤や加熱処理により硬く繊維を結束した部分である。結束部４ａから筆先４ｂへ向かう長さＬの部分のブラシ４外径は、上記の小径の貫通孔６ａに対応するように、筆先４ｂへ向かうに応じて先細るようにわずかなテーパ部４ｃが形成される。
【００１８】
ブラシ４を含浸体６に挿入したとき、結束部４ａは段差部６ｃに係合し、テーパ部４ｃは含浸体６の小径貫通孔６ａに密着して保持される。これにより、含浸体６の化粧料は小径の貫通孔６ａに接する部分から毛細管現象によりブラシ４へ供給されるようになっている。
〈中継芯〉
中継芯５は図２に示すように、ブラシ４を挿入した後から含浸体６の大径の貫通孔６ｂに挿入される。これにより、中継芯５に含まれる化粧料は貫通孔６ｂの内周面に接する部分から毛細管現象により含浸体６へ供給されるようになっている。
【００１９】
こうして、ノーズピース３に含浸体６が同心円的に内包され、含浸体６にブラシ４および中継芯５が同心円的に内包されるようにして、化粧料の塗布具１が構成されることとなる。
【００２０】
本実施形態に係る化粧料の塗布具１によれば、中継芯５の化粧料は含浸体６を経由してブラシ４へ供給される、換言すると、化粧料は結束部４ａを経由して供給されるのではなく、含浸体６で内包されるブラシ４の外周面を通して化粧料がブラシ４へ供給される。
したがって、ブラシ４には化粧料がとぎれることなく潤沢に供給されるので、ブラシ４を細く形成した場合でも、筆先４ｂの先端に化粧料が常に行き届く状態を維持できるので、アイラインの化粧をスムーズに行える。
また、上記従来技術のように中継芯５をブラシ４に埋没させて取り付ける必要がないので、ブラシ４の外径寸法を限りなく細くできる。このため、極細タイプの化粧料の塗布具を得ることが容易となり、かつ、所謂筆先４ｂの先割れを未然に防止でき、より一層繊細な化粧が可能となる実益がある。
また、ノーズピース３が塗布具本体２から前方へ出っ張る寸法、すなわち含浸体６およびノーズピース３が筆先４ｂに伸びる長さを大きく設定しているので、キャップ２ａを外して化粧をする場合でも、筆先４ｂが乾燥しにくくなり、これにより筆先の先割れを防止できる。
さらに、含浸体６はテーパ部６ｄによりノーズピース３に、また、ブラシ４はテーパ部４ｃにより含浸体６にそれぞれ互いに密着させて位置決め固定されるので、各構成部材の間にガタを生じることがなく、塗布具本体２から抜け出すことを防止できると共に、化粧料の漏洩を確実に回避できる安定した品質の化粧料の塗布具を得ることができる。
本発明は、上記実施形態に限られるものではなく、その趣旨及び技術思想を逸脱しない範囲で種々の変形が可能である。
【００２１】
上記実施形態では塗布具本体内部に不図示の化粧料を貯留するタンク部を有する態様の化粧料の塗布具であったが、カートリッジ型のタンク部を着脱自在に設ける態様の化粧料の塗布具にも適用できる。
【産業上の利用可能性】
【００２２】
本発明は、化粧料がブラシによく行き届き、ブラシが先割れすることのない化粧料の塗布具の製作に利用される。
【図面の簡単な説明】
【００２３】
【図１】本発明の一実施形態に係る化粧料の塗布具に係り、(ａ)は化粧料の塗布具の外観図、(ｂ)は塗布具本体からキャップを取り外した状態を示す化粧料の塗布具の外観図である。
【図２】同じく、図１(ｂ)のＡ部を拡大して示した部分縦断面図である。
【図３】同じく、含浸体の半分を破断して示した含浸体６の断面図である。
【図４】同じく、ブラシの外観図である。
【図５】同じく、多孔質発泡体に係り、(ａ)はウレタンによる多孔質発泡体の気泡を、(ｂ)はポリエチレン粒子による多孔質発泡体の気泡をそれぞれ模式的に示した組織図である。
【図６】従来技術に係り、(ａ)はその要部拡大断面図、(ｂ)はブラシの外観図、(ｃ)はブラシが先割れを生じた状態を示す説明図である。
【符号の説明】
【００２４】
１  化粧料の塗布具
２  塗布具本体
３  ノーズピース
４  ブラシ
４ａ  結束部
４ｂ  筆先
４ｃ  テーパ部
５  中継芯
６  含浸体
６ａ  小径の貫通孔
６ｂ  大径の貫通孔
６ｃ  段差部
６ｄ  テーパ部
Ｕ  ウレタン樹脂
Ｓ  空間、孔
ＰＥ  ポリエチレン粒子
【図１】
2010213869.tif 000003
【図２】
2010213869.tif 000004
【図３】
2010213869.tif 000005
【図４】
2010213869.tif 000006
【図５】
2010213869.tif 000007
【図６】
2010213869.tif 000008